(57)【要約】      （修正有）【課題】回路板の設置高さを調整し、管体に異なる高さのＬＥＤを収容させる回路板位置を多段調整できる発光ダイオード灯管を提供する。【解決手段】多段調整可能な発光ダイオード灯管は、管体１０を含み、その相対する二側内壁面にそれぞれ支持部１１を設け、支持部１１は、管体１０の縦向き沿って延伸し、それは、３つの平行に配列された定位凸体１１１，１１２，１１３を含み、２つの相互に隣接する定位凸体間に隙間を有し、管体１０内に回路板２０を収容し、回路板２０の一側にそれと電気接続する複数のＬＥＤ灯３０を敷設し、管体１０の二末端にそれぞれ回路板２０と電気接続するスリーブを被覆してなり、そのうち、回路板２０の二側辺がそれぞれ２つの支持部１１の何れか１つの前記定位凸体上に係止され、これにより、回路板２０の設置高さと角度を多段調整する。【選択図】図５
0003148527.tif 000002
【実用新案登録請求の範囲】
【請求項１】
管体と、回路板と、複数のＬＥＤ灯と、２つのスリーブと、を含み、
該管体は、相対する二側内壁面にそれぞれ支持部を設け、該支持部は、該管体の縦向き沿って延伸し、該支持部は、３つの平行に配列された定位凸体を含み、２つの相互に隣接する定位凸体間に隙間を有し、
該回路板は、該管体内に収容され、該回路板の二側辺がそれぞれ２つの該支持部の何れか１つの定位凸体上に係止され、
該複数のＬＥＤ灯は、該回路板の一側に敷設され、
該２つのスリーブは、それぞれ該管体の二末端に被覆され、且つ該回路板と電気接続する回路板位置を多段調整可能な発光ダイオード灯管。
【請求項２】
前記支持部は、該管体の二端に設けられる請求項１記載の多段調整可能な発光ダイオード灯管。
【請求項３】
前記支持部は、該管体の一端から該管体のもう一端まで延伸する請求項１記載の多段調整可能な発光ダイオード灯管。
【請求項４】
前記定位凸体は、リブである請求項１記載の多段調整可能な発光ダイオード灯管。
【請求項５】
前記定位凸体は、間隔を有し、且つ直線に配列して設置される複数の凸柱である請求項１記載の多段調整可能な発光ダイオード灯管。
【請求項６】
前記３つの定位凸体は、外側に設置される第１及び第３定位凸体と、内側に挟まれて設置される第二定位凸体と、を含み、そのうち、該第二定位凸体の内壁面上の高さは、該第１及び第３定位凸体の高さより低い請求項１記載の多段調整可能な発光ダイオード灯管。
【考案の詳細な説明】
【技術分野】
【０００１】
本考案は、照明装置に関し、特に、発光ダイオードの照明装置に関する。
【背景技術】
【０００２】
発光ダイオード(Light Emitting Diode, LED)は、低エネルギー消耗、使用寿命が長い、体積が小さい、反応が速い等の利点を有し、徐々に従来の電球に取って代わり、各種発光装置中、に応用されており、例えば、ＬＥＤ灯管は、そのうちの１つである。
【０００３】
ＬＥＤを一般灯管の構造方式に応用したものは、図１に示すように、管体１０ａ内に回路板２０ａを設け、該回路板２０ａ上に複数のＬＥＤ３０ａを設け、そのうち、該管体１０ａの内壁面には、支持部１１ａを凸設し、該支持部１１ａは、該回路板２０ａを該管体１０ａ内に支持する。
【０００４】
しかしながら、現在のＬＥＤは、多種の形態を有し、ＬＥＤを形成する外型上の高さが不定であり、図２において、該回路板２０ａ上に設置されたＬＥＤ３０ｂは、その高さは、図１中のＬＥＤ３０ａより比較的高いので、ＬＥＤ３０ｂが管体１０ａ内に組み付けられる時、該ＬＥＤ３０ｂは、該管体１０ａの内壁面に接触する可能性が高く、該ＬＥＤ３０ｂに正常な輝度を発揮させることができず、灯管の照明に影響を及ぼす。
【０００５】
上記の問題を解決する為、回路板２０ａと管体１０ａ内壁間に形成される収容空間を調整し、異なる高さのＬＥＤを収容させる必要があるので、公知のＬＥＤ灯管は、灯管内壁に異なる高さの支持点を設け、回路板を設置し、従って、複数セットの鋳型を開設し、異なる規格の灯管を製造する必要があり、製造コストが増加する。また、組み立て時、ＬＥＤ形態により異なる規格の灯管内に組み付けなければならず、組み付け上の困難を招く。
【特許文献１】特開２００６−２１６２９６公報
【考案の開示】
【考案が解決しようとする課題】
【０００６】
本考案の目的は、管体内に３つの定位凸体を設け、回路板を係止させ、該回路板の二側辺がそれぞれ同一高さの定位凸体上に係止されることによって、該回路板の設置高さを調整し、該管体に異なる高さのＬＥＤを収容させる回路板位置を多段調整できる発光ダイオード灯管を提供することである。
【０００７】
本考案のもう１つの目的は、管体内に３つの定位凸体を設け、回路板を係止し、該回路板の二側辺がそれぞれ異なる高さの定位凸体上に係止されることによって、該回路板の設置角度を調整し、該灯管が異なる照射角度を設けることができる発光ダイオード灯管を提供することである。
【課題を解決するための手段】
【０００８】
上記の目的を達成するため、本考案が提供する高さが異なるＬＥＤを収容できる発光ダイオード灯管は、管体を含み、その相対する二側内壁面にそれぞれ支持部を設け、支持部は、管体の縦向き沿って延伸し、それは、３つの平行に配列された定位凸体を含み、２つの相互に隣接する定位凸体間に隙間を有し、管体内に回路板を収容し、回路板の一側にそれと電気接続する複数のＬＥＤ灯を敷設し、管体の二末端にそれぞれ回路板と電気接続するスリーブを被覆してなり、そのうち、回路板の二側辺がそれぞれ２つの支持部の何れか１つの定位凸体上に係止され、これにより、回路板の設置高さと角度を多段調整する。
【考案の効果】
【０００９】
本考案の回路板位置を多段調整できる発光ダイオード灯管は、灯管体内に支持部を設け、該回路板を係止し、該支持部は、２つの平行に配列した定位凸体を含み、該回路板の二側辺がそれぞれ等しい高さまたは異なる高さの定位凸体上に係止されることによって、該回路板の設置高さ及び角度を多段調整し、該管体に異なる高さのＬＥＤを収容可能にし、使用者の要求に応じて該灯管の照射角度を調整するができる。
【考案を実施するための最良の形態】
【００１０】
本考案の詳細な説明及び技術的内容について、図面を合わせて以下に説明するが、図面は、ただ参考及び説明を提供するものであり、本考案に対して制限を加えるものではない。
【００１１】
図３、図４は、本考案の回路板位置を多段調整できる発光ダイオード灯管の立体組み合わせ説明図及び立体外観図である。本考案が提供する回路板位置を多段調整できる発光ダイオード灯管は、管体１０を含み、該管体１０は、光透過性を有するプラスチックから構成され、相対する二側内壁面１０１は、それぞれ支持部１１を設け、該支持部１１は、該管体１０の縦方向に沿って延伸し、該支持部１１は、３つの平行に配列された第１から第３までの定位凸体１１１〜１１３を含み、相互に隣接する定位凸体間に隙間１１０を有する。
【００１２】
回路板２０は、該管体１０内に収容され、該回路板２０の二側辺に該２つの支持部１１の何れか１つの定位凸体上に係止され、該回路板２０の一側に複数のＬＥＤ灯３０を敷設し、該ＬＥＤ灯３０は、該回路板２０に電気接続する。
【００１３】
該管体１０の二末端にラッチ１２を設け、スリーブ４０を活動的に被覆し、スリーブ４０の一側面に該ラッチ１２と相互に結合するラッチ溝４２を対応して設け、該２つのスリーブ４０は、該回路板２０に電気接続し、且つその端面に導電端子４１を凸設し、該導電端子４１は、灯ソケットに挿入され、ＬＥＤ灯管が必要な電力を提供する。また、該管体１０は、回路板２０をカバーする側面は、複数のヒートシンク孔１００を開設し、該ＬＥＤ灯３０が発生する熱を散逸することができる。
【００１４】
図５は、本考案の回路板位置を多段調整できる発光ダイオード管体の組み合わせ説明図である。該回路板２０の二側辺は、該管体１０の支持部１１上に係止され、該支持部１１の３つの定位凸体は、外側に設置される第１及び第３定位凸体１１１，１１３と、内側に挟んで設けられる第二定位凸体１１２と、を含み、そのうち、該第二定位凸体１１２は、該管体１０の内壁面１０１上の高さは、該第１及び第３定位凸体１１１，１１３の高さより低く、該回路板２０は、何れか１つの定位凸体上に平らに載置するか、斜めに載置することができる。本実施例中、該回路板２０の二側は、それぞれ同一高さの第３定位凸体１１３上に係止される。
【００１５】
図６において、該回路板２０は、該管体１０内に斜めに置かれ、そのうち、該回路板２０の一側は、比較的低い箇所の第３定位凸体１１３上に係止され、もう一側は、中間の第二定位凸体１１２上に係止され、該回路板２０の二側は、それぞれ異なる高さの定位凸体上に係止され、該回路板２０の設置角度を調整し、該灯管が異なる照射角度を設けることができる。
【００１６】
図７において、その図５と異なる箇所は、該回路板２０上に異なる形態のＬＥＤ灯３０’を敷設したことであり、図７での該ＬＥＤ３０’の高さは、図５中のＬＥＤ灯３０よりも高く、該ＬＥＤ灯３０’を異なる該管体１０内に収容可能にし、該回路板１０の二側辺は、それぞれ比較的高い箇所の第１定位凸体１１１上に係止される必要があり、該回路板２０と管体１０の内壁面１０１に比較的大きな収容空間を形成させ、高さが高い該ＬＥＤ灯３０’を収容させる。
【００１７】
図８、図９は、本考案の回路板位置を多段調整できる発光ダイオード灯管のもう一側の組み合わせ断面説明図である。図に示すように、該回路板２０は、該管体１０の支持部１１上に係止され、該支持部１１は、３つの平行に配列された第１から第３までの定位凸体１１１〜１１３を含み、且つ２つの相互に隣接する凸体間に隙間１１０を有し、該定位凸体は、リブであり、且つ該管体１０の縦方向に沿って延伸する。図８中、該支持部１１は、該管体１０の一端から該管体１０のもう一端に延伸する。図９中、該支持部１１は、該管体１０の二端に設けられるだけである。
【００１８】
図１０は、本考案の第二実施例である。本実施例は、第１実施例とおよそ同一であり、その異なる箇所は、該支持部の形態である。本実施例の支持部１１’は、３つの定位凸体１１１’〜１１３’を含み、各定位凸体は、間隔を有し且つ直線に配列される複数の、所定の高さの凸柱１１００’の列から構成され、本実施例中、該定位凸体１１１’〜１１３’は、該管体１０の二端に設けられるだけであり、実際の実施時、該定位凸体１１１〜１１３’は、該管体１０の一端から該管体１０のもう一端まで延伸することもできる。
【００１９】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【図面の簡単な説明】
【００２０】
【図１】公知のＬＥＤ灯管構造の断面図１である。
【図２】公知のＬＥＤ灯管構造の断面図２である。
【図３】本考案の立体組み合わせ説明図である。
【図４】本考案の立体外観説明図である。
【図５】本考案の組み合わせ断面図１である。
【図６】本考案の組み合わせ断面図２である。
【図７】本考案の組み合わせ断面図３である。
【図８】本考案のもう１つの側の組み合わせ断面図１である。
【図９】本考案のもう１つの側の組み合わせ断面図２である。
【図１０】本考案の第２実施例である。
【符号の説明】
【００２１】
１０ａ  管体
１１ａ  支持部
２０ａ  回路板
３０ａ  ＬＥＤ
３０ｂ  ＬＥＤ
１０  管体
１００  ヒートシンク孔
１０１  内壁面
１１  支持部
１１０  隙間
１１１  第１定位凸体
１１２  第２定位凸体
１１３  第３定位凸体
１２  ラッチ
２０  回路板
３０,３０’  ＬＥＤ灯
４０  スリーブ
４１  導電端子
４２  ラッチ溝
１１’  支持部
１１００’  凸柱
１１１’〜１１３’  定位凸体
【図１】
0003148527.tif 000003
【図２】
0003148527.tif 000004
【図３】
0003148527.tif 000005
【図４】
0003148527.tif 000006
【図５】
0003148527.tif 000007
【図６】
0003148527.tif 000008
【図７】
0003148527.tif 000009
【図８】
0003148527.tif 000010
【図９】
0003148527.tif 000011
【図１０】
0003148527.tif 000012